(57)【特許請求の範囲】
【請求項１】
タッチパネルを備える電子機器であって、
第１の弾性率と第１の摩擦係数を有し、垂直から第１の角度までの範囲で前記電子機器が起立する時に、設置面に接する第１の弾性体と、
前記第１の弾性率より低い第２の弾性率と前記第１の摩擦係数より大きい第２の摩擦係数を有し、前記第１の角度以下の角度で前記電子機器が起立する時に、前記設置面に接する第２の弾性体と、を筐体に備える電子機器。
【請求項２】
前記第１の弾性体と前記第２の弾性体は、前記筐体の底面と側面の境界部分に設けられていることを特徴とする請求項１に記載の電子機器。
【請求項３】
前記境界部分は、前記タッチパネルに表示される画像を前記筐体の正面側から見た時に、前記筐体の上下方向にある境界部分及び左右方向にある境界部分であることを特徴とする請求項２に記載の電子機器。
【請求項４】
前記第１の弾性体と前記第２の弾性体は細長い形状であり、前記側面の長手方向の隣接する位置に設けられていることを特徴とする請求項３に記載の電子機器。
【請求項５】
前記第１の弾性体の設置位置に対して、前記第２の弾性体の設置位置は、前記側面の短手方向にオフセットされていることを特徴とする請求項４に記載の電子機器。
【発明の詳細な説明】
【技術分野】
【０００１】
本出願は電子機器に関する。
【背景技術】
【０００２】
近年、表示画面にタッチパネルを備える電子機器、例えば、タブレット端末やスマートフォンが普及している。そして、表示画面にタッチパネルを備える電子機器には、防水仕様になっているものが多く、前述のタブレット端末にも防水仕様のものが増えている。防水仕様のタブレット端末の普及に伴い、お風呂場、台所のような水回りの場所、出張先など、様々な場所でタブレット端末を活用する機会（利用シーン）が増えており、ユーザのタブレット端末に対する要求は高まっている。
【０００３】
また、タッチパネルを備えるタブレット端末では、画面に表示された画像の移動、拡大、縮小、機能の切り換えやデータの入力は、タッチパネルを用いて行われる。タッチパネル操作は、手持ち操作に加えて、タブレット端末を机上などの設置面に水平に置いて操作が行われる場合や、タブレット端末を壁に立て掛けた状態で操作が行われることもある。
【０００４】
タブレット端末を壁に立てかけた状態でタッチ操作を行おうとした場合、タッチパネルへのタッチ操作の荷重が加わり、壁に立て掛けたタブレット端末の筐体と、床面或いは壁面との間に滑りが生じ、タブレット端末が平面上に落下するおそれがあった。そこで、タブレット端末を壁に立てかけた状態でタッチ操作を行おうとする場合は、タブレット端末を手で保持しながら使用するか、立て掛け用のカバーを装着して使用したり、専用のスタンド立て掛けて使用することが行われる。
【０００５】
図１（ａ）は、タブレット端末１の下端部１Ｌを床面や机上面のような設置面２に置き、上端部１Ｕを設置面２からの起立角度θを大きくして壁３に立て掛け、タッチパネルＴＰを操作する使用状況を説明するものである。また、図２（ａ）は、タブレット端末１の下端部１Ｌを設置面２に置き、タブレット端末１を設置面２からの起立角度θを小さくした、寝かせた状態で上端部１Ｕを壁３に立て掛け、タッチパネルＴＰを操作する使用状況を説明するものである。
【０００６】
ところが、図１（ａ）に示した状態で、タッチパネルＴＰに対してタッチ操作を行う場合は、図１（ｂ）に示すように、タッチパネルＴＰへのタッチ操作による荷重が自重に加わり、筐体４が設置面２の上を滑り、タブレット端末１が設置面２に倒れ込む。すなわち、タブレット端末１が倒れてその裏面が設置面２に衝突する。また、図２（ａ）に示した状態で、タッチパネルＴＰに対してタッチやドラッグ操作を行う場合も、図２（ｂ）に示すように、タッチパネルＴＰへのタッチやドラッグ操作による荷重が自重に加わり、筐体４が設置面２の上を滑り、タブレット端末１が設置面２に倒れ込む。
【０００７】
このように、これまでのタブレット端末では、タッチ操作による押し込み荷重により、タブレット端末の筐体と、設置面や壁面との接触面との間に滑りが生じてしまい、タブレット端末の設置が不安定になっていた。このため、これまでのタブレット端末は、立て掛けた状態で使用することが難しかった。また、タブレット端末を壁に立て掛けて使用する場合に、タブレット端末の下端部を勢いよく設置面に置く動作が繰り返されると、タブレット端末の下端部の設置面に接触する筐体が破損するおそれもあった。
【先行技術文献】
【特許文献】
【０００８】
【特許文献１】特開２００９−０１５０５７号公報
【０００９】
【特許文献２】特開２０１１−１０３５４６号公報
【発明の概要】
【発明が解決しようとする課題】
【００１０】
１つの側面では、筐体の下端部を設置面に置き、上端部を壁に立て掛けた状態で、電子機器に備えられたタッチパネルを操作しても、筐体が設置面の上を滑らず、壁に立て掛けたかけた状態で使用できる電子機器を提供することを目的とする。
【課題を解決するための手段】
【００１１】
１つの形態によれば、タッチパネルを備える電子機器であって、第１の弾性率と第１の摩擦係数を有し、垂直から第１の角度までの範囲で電子機器が起立する時に、設置面に接する第１の弾性体と、第１の弾性率より低い第２の弾性率と第１の摩擦係数より大きい第２の摩擦係数を有し、第１の角度以下の角度で電子機器が起立する時に、設置面に接する第２の弾性体とを筐体に備える電子機器が提供される。
【発明の効果】
【００１２】
開示の電子機器によれば、電子機器の下端部を設置面に置き、電子機器の上端部を壁に立て掛けた状態でタッチパネルを操作しても、電子機器が滑って設置面に倒れ込むことが無いという効果がある。
【図面の簡単な説明】
【００１３】
【図１】（ａ）はタブレット端末を、設置面からの起立角度を大きくして壁に立て掛けた状態を示す側断面図、（ｂ）は（ａ）の要部拡大断面図である。
【図２】（ａ）はタブレット端末を、設置面からの起立角度を小さくして壁に立て掛けた状態を示す側断面図、（ｂ）は（ａ）の要部拡大断面図である。
【図３】（ａ）は弾性体が取り付けられたタブレット端末の正面図、（ｂ）は（ａ）に示したタブレット端末の底面図である。
【図４】（ａ）は図３（ｂ）に示したタブレット端末の要部拡大平面図、（ｂ）は（ａ）に示した要部に弾性体を取り付ける工程を示す部分組立斜視図である。
【図５】（ａ）はタブレット端末に取り付ける弾性体の第１の実施例の平面図、正面図、底面図及び左右の側面図、（ｂ）は（ａ）に示した弾性体を上側から見た斜視図、（ｃ）は（ａ）に示した弾性体を下側から見た斜視図である。
【図６】（ａ）は第１の実施例の弾性体が取り付けられたタブレット端末を設置面に垂直に立たせた状態の側断面図、（ｂ）は（ａ）に示したタブレット端末の下端部の設置面との接触を示す要部拡大断面図である。
【図７】（ａ）は第１の実施例の弾性体が取り付けられたタブレット端末を、設置面からの起立角度を大きくして壁に立て掛けた状態を示す側断面図、（ｂ）は（ａ）に示したタブレット端末の上端部の壁との接触を示す要部拡大断面図、（ｃ）は（ａ）に示したタブレット端末が設置面に衝突した時の状態を示す要部拡大断面図、（ｄ）は（ａ）に示したタブレット端末の下端部の設置面との接触を示す要部拡大断面図である。
【図８】（ａ）は第１の実施例の弾性体が取り付けられたタブレット端末を、設置面からの起立角度を小さくして壁に立て掛けた状態を示す側断面図、（ｂ）は（ａ）に示したタブレット端末の、下端部の設置面との接触を示す要部拡大断面図、（ｃ）は（ａ）に示したタブレット端末の上端部の壁との接触を示す要部拡大断面図である。
【図９】タブレット端末に取り付ける２種類の弾性体の、タブレット端末の傾きに対応した接触角度の切り替わりを説明する説明図である。
【図１０】タブレット端末に取り付ける２種類の弾性体の一方を、筐体の側面まで回り込ませた実施例を示すタブレット端末の下端部の部分拡大断面図である。
【図１１】（ａ）はタブレット端末に取り付ける弾性体の第２の実施例の平面図、正面図、底面図及び左右の側面図、（ｂ）は（ａ）に示した弾性体を上側から見た斜視図、（ｃ）は（ａ）に示した弾性体を下側から見た斜視図である。
【図１２】図１１に示した第２の実施例の弾性体をタブレット端末に取り付ける工程を示す部分組立斜視図である。
【発明を実施するための形態】
【００１４】
以下、添付図面を用いて本出願の実施の形態を、具体的な実施例に基づいて詳細に説明する。なお、以下に説明する実施の形態では、タッチパネルを備える電子機器の代表例として、タブレット端末を説明するが、タッチパネルを備える電子機器はタブレット端末に限定されるものではない。また、図１及び図２で説明したタブレット端末、設置面、壁及び筐体については同じ符号を付して説明する。
【００１５】
図３（ａ）は、本出願が対象とする電子機器の代表例としてのタブレット端末１を示すものであり、タブレット端末１を正面側から見た図である。タブレット端末１の正面側には、タッチパネルＴＰを備えるディスプレイ画面５がある。開示のタブレット端末１の筐体４には、ディスプレイ画面５を囲む筐体の端部（四つの周辺部分）の、破線で示す位置に、タブレット端末１を壁に立て掛けた時の筐体４の滑り止めとなる弾性体が取り付けられている。
【００１６】
図３（ｂ）は、図３（ａ）に示したタブレット端末１を底面４Ｂ側から見た図である。タブレット端末１の筐体４の底面４Ｂにはカメラ６が設けられている。また、タブレット端末１の筐体４の底面４Ｂの端部から、筐体４の４つの側面４Ｓに向かう部分は、側面４Ｓに向かって傾斜する傾斜面４Ｃになっている。そして、各側面４Ｓと各傾斜面４Ｃの部分（以後、傾斜面４Ｃに側面４Ｓの一部を合せた部分を境界部分と記す）に、弾性体である第１の弾性体１０と第２の弾性体２０が設けられている。第１の弾性体１０は、境界部分の側面側に位置しており、第２の弾性体２０は、第１の弾性体１０に隣接して、境界部分の傾斜面側に設けられている。第１の弾性体１０が隣り合う側面側に配置され、第２の弾性体２０が側面の中央側に配置された実施例を、弾性体の第１の実施例とする。
【００１７】
図４（ａ）は、図３（ｂ）に示したタブレット端末１の要部を拡大して示す部分平面図である。具体的には、図３（ｂ）に示したタブレット端末１の右下部分が拡大されて図４（ａ）に示されている。前述のように、第１の弾性体１０は、各辺に隣接する辺側に設けられており、第２の弾性体２０は、第１の弾性体１０に隣接して、各辺の中心側に設けられている。一方、第１の弾性体１０と第２の弾性体２０は細長い形をしており、隣接はしているが、各辺の長手方向に対して同じ位置になく、各辺の短手方向にずれている（オフセットされている）。この状態を図４（ｂ）を用いて説明する。
【００１８】
図４（ｂ）は、図４（ａ）に示した第１の弾性体１０と第２の弾性体２０が、筐体４に取り付けられる前の状態を示している。すなわち、図４（ｂ）は、第１の弾性体１０と第２の弾性体２０を筐体４に取り付ける工程を示す部分組立斜視図である。第１の実施例では、筐体４の各境界部分に、第１の弾性体１０を取り付けるための第１の凹部４１と、第２の弾性体２０を取り付けるための第２の凹部４２が設けられている。第１の実施例では、第１の弾性体１０の底面と第２の弾性体２０の底面は後述するように平坦面であるので、第１の凹部４１と第２の凹部４２の底面も平坦面である。
【００１９】
側面が交わる側に設けられている第１の凹部４１は、筐体４の側面４Ｓと傾斜面４Ｃに跨った位置に設けられている。一方、第２の凹部４２は、各側面４Ｓの中央側の傾斜面４Ｃに設けられている。第１の弾性体１０は第１の凹部４１に取り付けられ、第２の弾性体２０は、第２の凹部４２に取り付けられる。第１と第２の弾性体１０、２０は、第１と第２の凹部４１、４２に両面テープ、或いは接着剤によって取り付けることができる。
【００２０】
そして、第１の凹部４１に取り付けられる第１の弾性体１０は、タブレット端末１が、垂直から５０°程度の角度までの、設置面２からの起立角度が大きい範囲で設置面２に立て掛けられて使用される場合に、主に設置面２に接触する。逆に、第２の凹部４２に取り付けられる第２の弾性体２０は、タブレット端末１が、５０°程度の角度から、２０°程度までの、設置面２からの起立角度が小さい範囲で設置面２に立て掛けられて使用される場合に、主に設置面２に接触する。
【００２１】
タブレット端末１が、垂直から５０°程度の角度までの、設置面２からの起立角度が大きい範囲で設置面２に立て掛けられた場合、タブレット端末１の設置面２との接触面におけるタブレット端末１の荷重が水平方向に作用する力は小さい。よって、タブレット端末１の設置面２との接触面に加わる、筐体４を水平方向に滑らせる力は小さい。このため、タブレット端末１が設置面２からの起立角度が大きい範囲で設置面２に立て掛けられた時に、主に設置面２に当接する第１の弾性体１０には、筐体４の水平方向への滑りを抑止する大きな摩擦力は不要である。一方、前述のように、タブレット端末１が設置面２からの起立角度が大きい範囲で設置面２に立て掛けられる時には、タブレット端末１の下端部１Ｌが勢いよく設置面２に置かれることが多く、筐体４に衝撃が加わり易い。そこで、第１の弾性体１０には、摩擦係数よりも、弾性率が高い材料を採用する方が良い。
【００２２】
逆に、タブレット端末１が、２０°から５０°程度の角度までの、設置面２からの起立角度が小さい範囲で設置面２に立て掛けられた場合、タブレット端末１の設置面２との接触面におけるタブレット端末１の荷重が水平方向に作用する力が大きい。よって、タブレット端末１の設置面２との接触面に加わる、筐体４を水平方向に滑らせる力が大きい。このため、タブレット端末１が設置面２からの起立角度が小さい範囲で設置面２に立て掛けられた時に、主に設置面２に当接する第２の弾性体２０には、筐体４の水平方向への滑りを抑止する大きな摩擦力が必要である。一方、タブレット端末１が設置面２からの起立角度が小さい範囲で設置面２に立て掛けられる時には、タブレット端末１の下端部１Ｌが勢いよく設置面２に置かれることが少ない。そこで、第２の弾性体２０には、弾性率よりも摩擦係数が高い材料を採用する方が良い。
【００２３】
本実施例では、摩擦係数よりも、弾性率が高い材料を採用する方が良い第１の弾性体１０としては、熱可塑性ポリエステルエラストマー（例えば、東レ・デュポン株式会社製のハイトレル（登録商標））を使用することができる。また、弾性率が低く、摩擦係数が高い材料を採用する方が良い第２の弾性体２０としては、ポリウレタン（例えば、３Ｍ社製のパンポン（登録商標））やシリコンゴム等が使用できる。
【００２４】
図５（ａ）は、タブレット端末に取り付ける弾性体の第１の実施例の平面図、正面図、底面図及び左右の側面図を示している。なお、図４（ｂ）で説明した第１の弾性体１０と第２の弾性体２０は、全く同じ形状で良いので、図５では代表して第１の弾性体１０の形状を説明する。図５（ｂ）は、図５（ａ）に示した第１の弾性体１０を、上側から見た斜視図であり、図５（ｃ）は、図５（ａ）に示した第１の弾性体１０を、下側から見た斜視図である。
【００２５】
図５（ａ）から図５（ｃ）に示すように、第１の弾性体１０は細長い形状であり、両端部が凸状であり、底面１１が平坦面になっている。第１の弾性体１０の底面１１の反対側には、第１の弾性体１０の長手方向に沿った底面１１の両側から上方に向かう側面１２と、側面１２の上端部から内側方向に傾斜する斜面１３がある。斜面１３の上端部は湾曲面１４で反対側の斜面１３に接続されており、湾曲面１４の長手方向の両端部は傾斜面１５を通じて、第１の弾性体１０の両端部に位置する湾曲する端面１６に接続している。斜面１３と湾曲する端面１６により、第１の弾性体１０の長手方向に稜線が形成されており、第１の弾性体１０の底面１１の反対側は、全体として突条になっている。前述のように、第２の弾性体２０は第１の弾性体１０と同形状である。また、斜面１３は湾曲していても良い。
【００２６】
図５に示した第１の弾性体１０の形状は一例であり、第１の弾性体１０及び第２の弾性体２０は、タブレット端末を立て掛けた時に、何れかの弾性体がタブレット端末の設置面に接する形状であれば、形状は特に限定されない。また、前述の実施例では、第１の弾性体１０及び第２の弾性体２０は、タブレット端末の筐体に設けられた凹部に取り付けられているが、凹部のないタブレット端末の筐体の表面に直接貼り付けて取り付けても良い。
【００２７】
次に、第１の実施例の第１の弾性体１０と第２の弾性体２０が取り付けられタブレット端末１が、設置面２に対して垂直、或いは傾斜して置かれた時の、第１の弾性体１０と第２の弾性体２０の機能について説明する。
【００２８】
まず、図６（ａ）は、第１の実施例の弾性体が取り付けられたタブレット端末１を設置面２に垂直に立たせた状態を示すものである。タブレット端末１が設置面２に垂直に立っている状態では、図６（ｂ）に示す拡大断面図のように、設置面２にはタブレット端末１の筐体４の側面４Ｓが主に接している。また、筐体４の側面４Ｓと傾斜面４Ｃに跨った位置に設けられている第１の弾性体１０は、設置面２に接してはいるが、タブレット端末１から設置面２に加わる荷重は、筐体４の側面４Ｓが受け持っている。また、筐体４の傾斜面４Ｃに設けられている第２の弾性体２０は、設置面２には接していない。
【００２９】
図７（ａ）は、第１の実施例の弾性体が取り付けられたタブレット端末１が、設置面２に対して起立角度が大きい状態で壁３に立て掛けられた状態を示すものである。ここでは、例えば、タブレット端末１の設置面２に対する起立角度を７０°とする。また、図７（ｂ）は、図７（ａ）に示したタブレット端末１の上端部１Ｕの壁３との接触を示すものであり、図７（ｃ）、（ｄ）は、図７（ａ）に示したタブレット端末１の下端部１Ｌと設置面２との接触を示すものである。特に、図７（ｃ）は、タブレット端末１が設置面２に勢いよく設置された時の第１の弾性体１０の機能を説明するものである。
【００３０】
タブレット端末１が、設置面２に対して大きな起立角度、例えば７０°で壁３に立て掛けられる場合、タブレット端末１の下端部１Ｌは、設置面２に対して勢いよく置かれる場合がある。このような場合は、図７（ｃ）に示すように、第１の弾性体１０が、設置面２に強く当たる。しかし、第１の弾性体１０は、前述のように弾性率の大きい材料で形成されているので、タブレット端末１の下端部１Ｌが設置面２に対して勢いよく置かれた場合であっても、その衝撃を第１の弾性体１０によって吸収することができる。この結果、タブレット端末１が設置面２に対して大きな起立角度で立て掛けられても、衝撃が第１の弾性体１０によって吸収され、タブレット端末１の下端部１Ｌの保護、及び筐体４の内部にある電子部品等の破損の防止が実現できる。
【００３１】
また、タブレット端末１が、設置面２に対して図７（ａ）に示す状態で壁３に立て掛けられる場合、タブレット端末１の上端部１Ｕは、図７（ｂ）に示すように、第２の弾性体２０が壁３に接触し、第１の弾性体１０は壁３には接触しない。また、タブレット端末１の下端部１Ｌは、図７（ｄ）に示すように、第１の弾性体１０が設置面２に接触してタブレット端末１を保持し、筐体４の側面４Ｓ及び第２の弾性体２０は設置面２に接触しない。この状態では、第１の弾性体１０による摩擦力が設置面２に働き、第２の弾性体２０による摩擦力が壁３に働くので、設置面２にも壁３にも摩擦力が発生して、タブレット端末１の筐体４を保持することができる。この結果、タブレット端末１のタッチパネルＴＰに対して操作がなされて押し込み荷重がタブレット端末１に加わっても、第１の弾性体１０と第２の弾性体２０により、タブレット端末１が設置面２及び壁３に対して滑り難く、安定した保持力を維持できる。
【００３２】
図８（ａ）は、第１の実施例の弾性体が取り付けられたタブレット端末１が、設置面２に対して起立角度が小さい状態で壁３に立て掛けられた状態を示すものである。ここでは、例えば、タブレット端末１の設置面２に対する起立角度が３０°であるとする。また、図８（ｂ）は、図８（ａ）に示したタブレット端末１の下端部１Ｌの設置面２との接触を示すものであり、図８（ｃ）は、図８（ａ）に示したタブレット端末１の上端部１Ｕと壁３との接触を示すものである。
【００３３】
タブレット端末１が、設置面２に対して図８（ａ）に示す状態で壁３に立て掛けられる場合、タブレット端末１の下端部１Ｌは、図８（ｂ）に示すように、第２の弾性体２０が設置面２に接触してタブレット端末１を保持する。この状態では、筐体４の側面４Ｓ及び第１の弾性体１０は設置面２に接触しない。また、タブレット端末１の上端部１Ｕは、図８（ｃ）に示すように、第１の弾性体１０が壁３に接触し、第２の弾性体２０は壁３には接触しない。そして、この状態では、第２の弾性体２０による強い摩擦力が設置面２に働き、第１の弾性体１０による摩擦力が壁３に働くので、設置面２にも壁３にも摩擦力が発生して、タブレット端末１の筐体４を保持することができる。この結果、タブレット端末１のタッチパネルＴＰに対する操作がなされて押し込み荷重がタブレット端末１に加わっても、第１と第２の弾性体１０、２０により、タブレット端末１が設置面２に対して滑り難く、安定した保持力を維持できる。
【００３４】
このように、第１の実施例の弾性体（第１の弾性体１０と第２の弾性体２０）が取り付けられたタブレット端末１は、設置面２と壁３との間にどのような起立角度で立て掛けられた場合でも、下端部１Ｌが設置面２に対して滑り難い。よって、タッチパネルを備えるタブレット端末１に対して、安定したタッチ操作やドラッグ操作（画像を移動させる操作で、タブレット端末の起立角度が小さい場合に多い操作）を行うことができる。
【００３５】
第１の実施例では、筐体４に設けられた第１と第２の凹部４１、４２の配置により、タブレット端末１の傾斜が、垂直から５０°の範囲で第１の弾性体１０が設置面２に接し、５０°から２０°の範囲で第２の弾性体２０が設置面２に接する。図９は、タブレット端末１に取り付けられた第１と第２の弾性体１０、２０の、設置面２への接触が、タブレット端末１の傾斜角度が５０°で切り替わる場合の、第１と第２の弾性体１０、２０の筐体４への配置を示すものである。タブレット端末１の傾斜角度が５０°の時に、第１と第２の弾性体１０、２０の設置面２への接触が切り替わる場合は、タブレット端末１の傾斜角度が５０°の時に、第１と第２の弾性体１０、２０が設置面２に均等に接している。
【００３６】
しかしながら、タブレット端末１に取り付けられた第１と第２の弾性体１０、２０の、設置面２への接触が切り替わる角度は５０°に限定されるものではなく、タブレット端末１の側面の形状に合わせて変更することが可能である。また、第１と第２の弾性体１０、２０の、設置面２への接触が切り替わる角度を他の角度、例えば、４５°にする場合は、タブレット端末１の傾斜角度が４５°の時に、第１と第２の弾性体１０、２０が設置面２に均等に接するようにこれらを配置すれば良い。
【００３７】
更に、第１と第２の弾性体１０、２０を設けるタブレット端末１の辺は、タブレット端末１に設けられたタッチパネルに重ね合わされているディスプレイの表示を、タブレット端末１をどのような向きにして見るかによって異なる。従って、タブレット端末１の４つの辺が全て設置面２に置かれる可能性があれば、第１と第２の弾性体１０、２０はタブレット端末１の４つの辺に全て取り付ければ良い。また、タブレット端末１の１つの辺に取り付ける第１と第２の弾性体１０、２０の数も２個ずつに限定されるものではない。そして、第１の実施例では、第１の弾性体１０が各辺の隣接する辺側、第２の弾性体２０が各辺の中央部側に配置されているが、第１の弾性体１０を各辺の各辺の中央部側、第２の弾性体２０を各辺の隣接する辺側に配置しても良い。
【００３８】
また、第１の実施例では、第１と第２の弾性体１０、２０の底面は平坦面であったが、図１０に示すように、タブレット端末１に取り付ける２種類の弾性体の一方、例えば第１の弾性体１０を筐体４の側面４Ｓまで回り込ませた変形実施例も可能である。図１０に示した実施例では、第１の弾性体１０を筐体４の側面４Ｓまで回り込ませるために、第１の弾性体１０に、第１の底面１１Ａと第２の底面１１Ｂを備える複合底面１１Ｃが形成されている。
【００３９】
一方、変形実施例の場合、複合底面１１Ｃを形成する第１の底面１１Ａは、側面１２Ｓの長手方向に延伸された平坦な面であり、第２の底面１１Ｂは、第１の底面１１Ａに対して鈍角で連続する平坦な面である。そして、複合底面１１Ｃの反対側には、複合底面１１Ｃの長手方向の両側に側面１２があり、側面１２に隣接する斜面１３は湾曲面１４で連続している。変形実施例では、タブレット端末１を設置面２に対して垂直方向に立たせた場合、第１の弾性体１０の湾曲面１４が設置面２に接触し、筐体４の側面４Ｓと第２の弾性体２０は共に設置面２に接触しない。このため、変形実施例では、タブレット端末１を垂直に設置面２に立たせた時の設置面２から受ける衝撃が、第１の弾性体１０によって吸収される。タブレット端末１を設置面２に対して傾斜させた時の、変形実施例における第１の弾性体１０の機能は第１の実施例と同じである。
【００４０】
第１の実施例では、タブレット端末１に取り付ける弾性体が、第１の弾性体１０と第２の弾性体２０とにより、別体になっていた。そして、タブレット端末１の傾斜が、垂直から５０°の範囲で第１の弾性体１０が設置面２に接し、５０°から２０°の範囲で第２の弾性体２０が設置面２に接するように、タブレット端末１の筐体４には、第１と第２の凹部４１、４２が設けられていた。一方、第１の弾性体１０と第２の弾性体２０は、二色成型によって、一体的にした複合弾性体３０として形成した第２の実施例が可能である。第２の実施例では、第１の弾性体１０と第２の弾性体２０が短手方向に並んだ状態で一体化されている。第２の実施例においても、タブレット端末１の傾斜が、垂直から５０°の範囲で第１の弾性体１０が設置面２に接し、５０°から２０°の範囲で第２の弾性体２０が設置面２に接するようにすることができる。
【００４１】
図１１（ａ）は、タブレット端末に取り付ける弾性体の第２の実施例の複合弾性体３０の平面図、正面図、底面図及び左右の側面図を示している。また、図１１（ｂ）は、図１１（ａ）に示した複合弾性体３０を上側から見た斜視図であり、図１１（ｃ）は、図１１（ａ）に示した複合弾性体３０を下側から見た斜視図である。複合弾性体３０は、第１の弾性体１０と第２の弾性体２０とを、二色成型によって一体的にしたものであり、その底面３１は、第１の弾性体１０の底面１１と第２の弾性体２０の底面２１とが隣接して連続した形状になっている。
【００４２】
複合弾性体３０の底面３１の反対側には、第１と第２の弾性体１０、２０の底面１１、２１の、隣り合わない側から上方に向かう側面１２、２２があり、側面１２、２２の上端部には傾斜する斜面１３、２３が接続している。斜面１３、２３の端部は湾曲面１４、２４で折り返され、湾曲面１４には斜面１３が接続し、湾曲面２４には斜面２３が接続している。隣接する斜面１３、２３は第１と第２の弾性体１０、２０の境界部で交わる。また、湾曲面１４、２４の長手方向の両端部はそれぞれ、傾斜面１５、２５を通じて、第１の弾性体１０の両端部に位置する湾曲する端面１６と第２の弾性体２０の両端部に位置する湾曲する端面２６に接続している。湾曲面１４が第１の弾性体１０の長手方向続く稜線であり、湾曲面２４が第２の弾性体２０の長手方向に続く稜線となっている。この結果、複合弾性体３０の底面３１の反対側には、２条の平行な突条が形成されている。
【００４３】
図１２は、第１の弾性体１０と第２の弾性体２０が一体化された第２の実施例の複合弾性体３０を、タブレット端末１の筐体４に取り付ける工程を示すものである。第１の実施例では、筐体４の各辺の側面４Ｓと底面４Ｂの境界部分（傾斜面４Ｃ）に、第１の弾性体１０を取り付けるための第１の凹部４１と、第２の弾性体２０を取り付けるための第２の凹部４２が設けられていた。一方、第２の実施例では、筐体４の各辺の側面４Ｓと底面４Ｂの境界部分（傾斜面４Ｃ）に、複合弾性体３０を取り付けるための単一の凹部４３が設けられている。凹部４３は、複合弾性体３０の底面３１の形状に合わせて、平坦な第１の底面４３Ａと、平坦な第２の底面４３Ｂを備える。第１の底面４３Ａと第２の底面４３Ｂは、複合弾性体３０の底面３１の形状に合うように山折り状に交わっている。
【００４４】
筐体４の各辺に設けられている凹部４３は、第１の底面４３Ａが筐体４の一つの辺の側面４Ｓの部分に設けられており、第２の底面４３Ｂが各辺の傾斜面４Ｃの部分に設けられている。複合弾性体３０は、凹部４３に両面テープ、或いは接着剤によって取り付けることができる。底面１１が第１の底面４３Ａに取り付けられ、底面２１が第２の底面４３Ｂに取り付けられると、タブレット端末１が設置面２と壁３の間に立て掛けられた時に、複合弾性体３０は、第１の実施例の第１と第２の弾性体１０、２０と同じ働きをする。
【００４５】
すなわち、複合弾性体３０は、タブレット端末１が、垂直から５０°程度の角度までの、設置面２からの起立角度が大きい範囲で設置面２に立て掛けられて使用される場合に、第１の弾性体１０が主に設置面２に接触する。逆に、タブレット端末１が、５０°程度の角度から、２０°程度までの、設置面２からの起立角度が小さい範囲で設置面２に立て掛けられて使用される場合に、第２の弾性体２０が主に設置面２に接触する。なお、複合弾性体３０は、底面１１を第２の底面４３Ｂに取り付け、底面２１を第１の底面４３Ａに取り付けることも可能である。また、タブレット端末１の各辺に凹部４３がない場合でも、複合弾性体３０の底面を各辺の側面４Ｓと傾斜面４Ｃが交わる部分の形状に適合させて形成すれば、複合弾性体３０をタブレット端末１に取り付けることがだきる。
【００４６】
以上、本出願を特にその好ましい実施の形態を参照して詳細に説明した。本出願の容易な理解のために、本出願の具体的な形態を以下に付記する。
【００４７】
（付記１）  タッチパネルを備える電子機器であって、
第１の弾性率と第１の摩擦係数を有し、垂直から第１の角度までの範囲で前記電子機器が起立する時に、設置面に接する第１の弾性体と、
前記第１の弾性率より低い第２の弾性率と前記第１の摩擦係数より大きい第２の摩擦係数を有し、前記第１の角度以下の角度で前記電子機器が起立する時に、前記設置面に接する第２の弾性体と、を筐体に備える電子機器。
（付記２）  前記第１の弾性体と前記第２の弾性体は、前記筐体の底面と側面の境界部分に設けられていることを特徴とする付記１に記載の電子機器。
（付記３）  前記境界部分は、前記タッチパネルに表示される画像を前記筐体の正面側から見た時に、前記筐体の上下方向にある境界部分及び左右方向にある境界部分であることを特徴とする付記２に記載の電子機器。
（付記４）  前記第１の弾性体と前記第２の弾性体は細長い形状であり、前記側面の長手方向の隣接する位置に設けられていることを特徴とする付記３に記載の電子機器。
（付記５）  前記第１の弾性体の設置位置に対して、前記第２の弾性体の設置位置は、前記側面の短手方向にオフセットされていることを特徴とする付記４に記載の電子機器。
【００４８】
（付記６）  前記第１の弾性体と前記第２の弾性体は、平坦な底面と、前記底面の反対側に突出し、両側に斜面を備える突条を備えることを特徴とする付記４または５に記載の電子装置。
（付記７）  前記第１の弾性体は、平坦な第１の底面と、前記第１の底面に対して鈍角で連続する平坦な第２の底面とを備える複合平面と、前記複合底面の反対側に突出し、長手方向の両側に斜面を備える突条を備え、
前記第２の弾性体は、平坦な底面と、前記底面から突出し、長手方向の両側に斜面を備える突条を備えることを特徴とする付記４または５に記載の電子装置。
（付記８）  前記第１の弾性体と前記第２の弾性体は、二色成型によって、前記第１の弾性体と前記第２の弾性体の長手方向が隣接するように一体的に形成されていることを特徴とする付記４または５に記載の電子機器。
（付記９）  前記第１の弾性体と前記第２の弾性体は、その底面が、前記境界部分に設けられた凹部に取り付けられることを特徴とする付記６から８の何れかに記載の電子機器。
（付記１０）  前記第１の弾性体と前記第２の弾性体は、その底面が、前記筐体の前記境界部分に貼り付けられていることを特徴とする付記６から８の何れかに記載の電子機器。
【００４９】
（付記１１）  前記第１の弾性体と前記第２の弾性体は、前記電子機器の各辺に２つずつ設けられていることを特徴とする付記２から７の何れかに記載の電子機器。
（付記１２）  前記第１の角度は５０°であることを特徴とする付記１から１０の何れかに記載の電子機器。
【符号の説明】
【００５０】
１    タブレット端末
１Ｌ    下端部
１Ｕ    上端部
２    設置面
３    壁
４    筐体
１０    第１の弾性体
１１、１１Ａ、１１Ｂ、２１、３１    底面
２０    第２の弾性体
３０    複合弾性体
４１、４２、４３    凹部
θ    起立角度
ＴＰ    タッチパネル
【図１】
0006572825.tif 000002
【図２】
0006572825.tif 000003
【図３】
0006572825.tif 000004
【図４】
0006572825.tif 000005
【図５】
0006572825.tif 000006
【図６】
0006572825.tif 000007
【図７】
0006572825.tif 000008
【図８】
0006572825.tif 000009
【図９】
0006572825.tif 000010
【図１０】
0006572825.tif 000011
【図１１】
0006572825.tif 000012
【図１２】
0006572825.tif 000013